(57)【要約】      （修正有）【課題】ペットを飼育する際に飼主の負担が軽減でき、且つ低価格で製造販売できるペット用トイレを提供すると共に、幼児を含む男子が不便を余儀なくされていた家庭用、和，洋水洗トイレにスペースを取ることなく設置可能、且つ低価格で製造販売できる簡易男子小便器を提供する。【解決手段】支持金具Ｂ、接続棒１、トイレ本体下部取付空洞を利用し人間とペットがトイレを共用できる様にし、又支持金具Ｂ、縦の接続棒１を中間部材ジヤバラを介しピンで簡易男子小便器を一体化し男子小便を容易にした後、又ジャバラの機能によりトイレの角に簡易男子小便器を収納。【選択図】図１
2006217908.tif 000002
【特許請求の範囲】
【請求項１】
既存の和、洋便器の構造上に支持金具を取付て上部が開放され、内部内側底部に既在の和、洋便器の許容の広さに切開いた本体に離反した状態に支持するような構造を有するスノコを敷設したペット用トイレ。
【請求項２】
上記トイレ本体の底部を上部排出穴に向けて上記ペットの液状排出物、及び、固形排出物が自然流下するような斜面又は曲面に設けた請求項１に記載のペット用トイレ。
【請求項３】
上記トイレ本体のスノコ上面にペットの習性を利用しての排泄癖付部材を設けた。
請求項１〜２のいずれか１つの記載のペット用トイレ。
【請求項４】
上記トイレ本体にペットの身体を洗う時用のシャンプーパネル及びシャワー水栓を設置。請求項１〜３いずれか１つの記載のペット用トイレ。
【請求項５】
支持金具、図１の接続棒にジャバラ式で、図２０の汚水垂れ防止用受カップと図１３の蓋を設けた簡易型男子小便器。
【請求項６】
上記の簡易型小便器の小便容器カップは取付取外しが自在で、洗浄が容易にできる構造を有する。
【発明の詳細な説明】
【技術分野】
【０００１】この発明は犬、猫等を飼育する際の飼主の労力の軽減と、ペットと共有する生活空間の衛生面を視野にいれたペットトイレに関する。【０００２】この発明は和，洋式水洗トイレを利用しての男子小便器に関する。
【背景技術】
【０００３】
【特許文献１】特開２００４−７６４４２号
【特許文献２】特開２００１−３４６４７２号
【特許文献３】特開２０００−１８８９８８号
【０００４】特許文献１においては男子が洋式便器で尿をする都度、尿受け部材の脱着が必要でその操作上に不衛生感があり、又再利用のおり尚さら不衛生と思える事、そして装着に手間がかかる。【０００５】特許文献２においては、尿溜器が必要であり、排尿孔に多少の尿が貯まることによる腐敗臭の問題が解決されていない。【０００６】特許文献３においてはその構造上、人とペットの共有型トイレでは、人の方が、かなりの不便を余儀なくされることが予想され、又、砂が要るトイレである為に費用も嵩む。
【発明の開示】
【発明が解決しようとする課題】
【０００７】この発明は上記の問題に鑑み一般家庭での狭い生活空間において労を要せずペットと人用トイレスペースを共有し、そして幼児を含む男子小便がトイレを汚さず簡潔に済ませることができるのを目的とする。
【課題を解決する為の手段】
【０００８】請求項１に、図１−Ｂ記載の支持板により既設の和，洋水洗便器に図１，２、記載の補助固定金具に固定し、図１−１の接続棒にペットトイレ本体Ｃに使い勝手でバリエーション可する為、左右に設けた図５−Ｃ１０記載の差込穴のどちらかを選択して差込む事により可動可変し簡潔に利用収納できる構造とする。
【０００９】請求項２に記載したトイレ本体には離間したスノコを利用する事により液状排泄物や固形汚物を分離し、ペットの足、体に排泄物が付着しないようにする。
【００１０】請求項３に記載した図２−６記載の子犬用排尿躾棒を設置する事により子犬の尿の躾が簡潔にできるよう設けた。
【００１１】請求項４に記載した図６−２１記載のシャワーパネルと図２−Ｄ記載のシャワー水洗金具を組合せての利用で、トイレ本体の洗浄とペットが散歩後に足の洗浄又はボディシャンプーが出来る構造とする。
【００１２】請求項５に記載は図７記載で表している様に、狭いトイレ内でも簡単にセットが出来図４−１４記載の開閉バーに連動して図４−２０記載のカップ下部が開閉作動し男子小水が自然流下し又、図４−１２記載のフラッシュバルブボタンを押す事により洗浄水が一定時間流れ出て尿の付着を予防する構造とする。
【００１３】この発明は、家飼の犬猫飼育の際、一番の難点である汚物の処理が簡単に出来、又構造がシンプルなので販売コストを低く抑える事が可能。
【００１４】例えば砂、吸水シート等の使用及び購入する必要が無いので、経済的でありそれに当たる労力をも省くことが出来、且つこのペット用トイレ全体の構造が簡素である為、容易に製造が可能なので安価で提供ができ、従来の様にペットトイレの置場に苦慮することもなく生活空間を清潔に保つ事が出来る。
【実施例】
【００１５】この発明の実施例を図１−Ｂに記載に基づいて説明。
図１記載においては図１−Ｂ支持金具と接続棒との接点にメスのネジ切、接続棒にもオスのネジ切が、という様にセットされ各家庭でのトイレドアの方向によりネジ切部を選択し、ペットトイレ、及び簡易男子小便器の取付方向の各バリエーションにおいて接続棒をネジ込み固定する。【００１６】上記の図１−Ｂ支持金具には便座固定のネジ切棒が通るように図１−２３記載の穴を空けて便座をある程度固定し、補助用図１−２記載の固定材に図１−３記載のナットで締めることにより強度と安定を計る。【００１７】上記の接続棒の太さに許容する穴の空いたペットトイレ本体Ｃの図２−１０記載に差込み、図１−４記載の傾き調整金具に差し入れ、ネジ切されたナットを締める。【００１８】人とペットがトイレを共用するので、人が使用する際にペットの排泄物が有った場合、図２−Ｄ記載のシャワー水洗金具で洗い流し、ペットトイレ本体を横に傾けて、用を足し、終了後、水平の位置にペットトイレをセットする。【００１９】上記のシャワー水洗金具を使用後、横に傾けて収納しても図２−８記載の水切ストッパーがある為トイレ内に水が垂れる事はない。【００２０】簡易型男子小便器を使用する場合、図−７記載で示す様にまずジヤバラ機能によりトイレの四隅の角から図４−Ｅ記載の小便器本体を引き寄せ、図４−１３記載の蓋を開け図４−１４記載の開閉レバー及びストッパー付きカップを作動させると、垂れ防止用図４−２０記載のカップが開き、そこに小便の用を足し、図４−１２記載のフラッシュバルブの押しボタンを押すと一定時間、水が容器内に流れ込み洗浄することが出来、図４−１４記載のレバーを離すと図４−１８記載の錘で図４−２０記載のカップが閉の状態になり図４−１４記載のレバーも元の位置に戻り、図４−１３の蓋を閉めておく。【００２１】上記の図４−Ｅ記載の簡易男子小便器は図４−５記載の落下止め高さ調整スットパーはネジ切されたボルトで固定し、図４−Ｆ記載のジャバラを介して図４−１１記載のピンで接続し、トイレの四隅の一角に場所をとることなく収納できる。【００２２】図４−２０記載の尿受けカップは取り外し式で容易に洗浄が可能。
【産業上の利用可能性】
【００２３】本発明のペット用トイレは、ペットを飼育した事のある人であれば、誰もが一度は望んだことが有ると思われる、ペットの水洗トイレ化、の、実現に向けて考えたもので、近い将来必ず実業化されると思われる。【００２４】簡易男子小便器においては、一般家庭の狭い居住生活の中でトイレは男女共用型の洋式がほとんど、でとりわけ男子は小水が飛び散りトイレを汚し家族から顰蹙をかう事があり、嫌な思いをする事が有るのと、現実、尿水の飛び散りに気がつかないまま時間が経過すると悪臭の元にもなり又黴菌の繁殖にも繋がるので、こうした事を解決する為に、本発明が実用化されるものと思われる。
【図面の簡単な説明】
【００２５】
【図１】洋式水洗便器に発明の支持金具を付けた、前側斜視図。
【図２】ペット用トイレとシャワー用具と前側斜視図。
【図３】和式水洗便器にペット用トイレを設置した前側斜視図。
【図４】支持金具に簡易男子用小便器を設置した前側斜視図。
【図５】ペット用トイレからスノコ及び子犬用躾棒を外した前側斜視図。
【図６】ペット用トイレにシャワーパネルを設置した前側斜視図。
【図７】洋式水洗便器に簡易男子用小便器を設置した前側斜視図。
【図８】洋式水洗便器にペット用トイレを設置した前側斜視図。
【符号の説明】
【００２６】  Ａ・・・ペット
Ｂ・・・支持金具
Ｃ・・・ペット用トイレ本体
Ｄ・・・シャワー水洗金具
Ｅ・・・簡易男子用小便器
Ｆ・・・ジャバラ
１・・・接続棒
２・・・固定金具
３・・・固定締付けナット
４・・・傾き調整金具
５・・・落下止め高さ調整ストッパー
６・・・子犬排尿躾棒
７・・・スノコ
８・・・排尿返し水切りストッパー
９・・・スノコ
１０・・・接続棒１、を差込む穴
１１・・・接続ピン
１２・・・フラッシュバルブ
１３・・・Ｅ、簡易男子小便器の蓋
１４・・・カップ開閉バー
１５・・・ヒンジ
１６・・・細いワイヤー
１７・・・耐圧水道ホース
１８・・・錘
１９・・・カップ受
２０・・・カップ
２１・・・シャワー用パネル
２２・・・簡易男子小便器
２３・・・既在の便座を支持する為の穴
【図１】
2006217908.tif 000003
【図２】
2006217908.tif 000004
【図３】
2006217908.tif 000005
【図４】
2006217908.tif 000006
【図５】
2006217908.tif 000007
【図６】
2006217908.tif 000008
【図７】
2006217908.tif 000009
【図８】
2006217908.tif 000010